(57)【要約】【課題】第１の観察領域に第１の画像を提供し、第２の観察領域に第２の画像を提供する表示装置において、表示パネルの真正面の位置における２重像を抑止する。【解決手段】表示パネル１０に、第１の画像を表示する第１の画素列１０Ａと第２の画像を表示する第２の画素列１０Ｂとがブラックマトリクス１１を介して交互に配置されている。その上方には移動バリア３０が配置されている。移動バリア３０は、第１の画素列１０Ａ及び第２の画素列１０Ｂに平行に交互に延び、液晶層ＬＣからなる遮光部及び透過部を有し、遮光部及び透過部の位置を移動できるものである。この移動バリア３０の透過部の移動により、第１の観察領域Ａ及び第２の観察領域Ｂを移動することができる。【選択図】  図２
2007264083.tif 000002
【特許請求の範囲】
【請求項１】
第１の観察領域に第１の画像を提供し、第２の観察領域に第２の画像を提供する表示装置であって、
前記第１の画像を表示する第１の画素列と前記第２の画像を表示する第２の画素列とが交互に配置されてなる表示パネルと、
前記表示パネルの上方に配置され、前記第１の画素列及び前記第２の画素列に平行に交互に延びる遮光部及び透過部を有し、前記遮光部及び前記透過部の位置を移動できる移動バリアと、を備えることを特徴とする表示装置。
【請求項２】
前記表示パネルの向きを検出する検出器を備え、
前記検出器の検出結果に応じて、前記移動バリアの前記遮光部及び前記透過部の位置を移動させることを特徴とする請求項１記載の表示装置。
【請求項３】
前記移動バリアは、液晶層を有した液晶バリアであることを特徴とする請求項１又は請求項２に記載の表示装置。
【請求項４】
前記移動バリアは、第１の透明基板及び第２の透明基板、及びそれらの基板に挟まれる液晶層からなり、前記第１の透明基板上に配置され前記第１の画素列及び前記第２の画素列に平行に延びる複数の第１の透明電極と、各第１の透明電極の一方の辺に沿って延びる第２の透明電極と、各第１の透明電極の他方の辺に沿って延びる第３の透明電極と、前記第２の透明基板上に配置された第４の透明電極と、前記第１の透明電極上が非透過状態となると共に、前記第２の透明電極もしくは前記第３の透明電極のいずれか一方の透明電極上が非透過状態となるように制御する制御回路と、を備えることを特徴とする請求項３記載の表示装置。
【請求項５】
前記移動バリアの前記第２の透明電極もしくは前記第３の透明電極の幅をＳとし、前記遮光部のピッチをＲとするとき、
Ｓ  ≦  Ｒ／４
を満たすことを特徴とする請求項４記載の表示装置。
【請求項６】
前記表示パネルの向きを検出する検出器を備え、
前記検出器の検出結果に応じて前記移動バリアの前記遮光部及び前記透過部の位置が移動するように、前記制御回路は、前記第２の透明電極もしくは前記第３の透明電極のいずれか一方の透明電極上が非透過状態となるように制御することを特徴とする請求項４又は請求項５に記載の表示装置。
【請求項７】
前記制御回路は、必要に応じて、前記移動バリアの前記第１の透明電極上、前記第２の透明電極上、及び前記第３の透明電極上が透過状態となるように制御することを特徴とする請求項４又は請求項５に記載の表示装置。
【請求項８】
前記移動バリアは、第１の透明基板及び第２の透明基板、及びそれらの基板に挟まれる液晶層からなり、前記第１の透明基板上に配置され前記第１の画素列及び前記第２の画素列に平行に延びる複数の固定遮光層と、各固定遮光層の一方の辺に沿って延びる第１の透明電極と、各固定遮光層の他方の辺に沿って延びる第２の透明電極と、前記第１の透明基板上に配置された第３の透明電極と、前記第１の透明電極もしくは前記第１の透明電極のいずれか一方の透明電極上が非透過状態となるように制御する制御回路と、を備えることを特徴とする請求項３記載の表示装置。
【請求項９】
前記移動バリアの前記第１の透明電極もしくは前記第２の透明電極の幅をＳとし、前記遮光部のピッチをＲとするとき、
Ｓ  ≦  Ｒ／４
を満たすことを特徴とする請求項８記載の表示装置。
【請求項１０】
前記表示パネルの向きを検出する検出器を備え、
前記検出器の検出結果に応じて前記移動バリアの前記遮光部及び前記透過部の位置が移動するように、前記制御回路は、前記第１の透明電極もしくは前記第２の透明電極のいずれか一方の透明電極上が非透過状態となるように制御することを特徴とする請求項８又は請求項９に記載の表示装置。
【請求項１１】
前記第１の画素列及び前記第２の画素列は、それぞれ、複数の行単位に区分され、各行で交互に配置されており、
前記第１の透明電極、前記第２の透明電極、及び前記第３の透明電極からなる組と、前記組の非形成領域とは、それぞれ、複数の行単位に区分され、各行で交互に配置されていることを特徴とする請求項４、５、６、７のいずれかに記載の表示装置。
【請求項１２】
前記第１の画素列及び前記第２の画素列は、それぞれ、複数の行単位に区分され、各行で交互に配置されており、
前記固定遮光層、前記第１の透明電極、及び前記第２の透明電極からなる組と、前記組の非形成領域とは、それぞれ、複数の行単位に区分され、各行で交互に配置されていることを特徴とする請求項８、９、１０のいずれかに記載の表示装置。
【発明の詳細な説明】
【技術分野】
【０００１】
本発明は、表示装置に関し、特に、第１の観察領域に第１の画像を提供し、第２の観察領域に第２の画像を提供する表示装置に関する。
【背景技術】
【０００２】
従来より、テレビ受像機や情報機器等に搭載される表示装置として、表示用の液晶パネル（ＬＣＤ；Ｌｉｑｕｉｄ  Ｃｒｙｓｔａｌ  Ｄｉｓｐｌａｙ，以降、「ＬＣＤ」と略称する）を用いた液晶表示装置等が知られている。液晶表示装置等の表示装置に関しては、第１の観察領域に第１の画像を提供し、第２の観察領域に第２の画像を提供する２画面表示が知られている。
【０００３】
次に、２画面表示を行う従来例に係る表示装置について、図面を参照して説明する。図８は、従来例に係る表示装置を説明する断面図である。図８に示すように、表示装置１００には、第１の画像を表示する第１の画素列１０Ａと第２の画像を表示する第２の画素列１０Ｂとが交互に配置されてなる表示パネル１０が配置されている。ここで、第１及び第２の画素列１０Ａ，１０Ｂは、例えば液晶層を備えた画素からなる。また、第１及び第２の画素列１０Ａ，１０Ｂの各画素間には、いわゆるブラックマトリクス１１が形成されている。そして、表示パネル１０の上方には、不図示のガラス基板等の透明基板を介して、遮光機能を有した金属もしくは樹脂等からなる遮光板４０が配置されている。遮光板４０は、第１の画素列１０Ａ及び第２の画素列１０Ｂに対して平行に交互に延びる遮光部４１及び開口部４２を備えている。
【０００４】
次に、上記構成により２画面表示が実現される仕組みについて説明する。図８に示すように、表示パネル１０の真正面の位置Ｃから左方向に離れた第１の観察領域Ａには、遮光板４０の開口部４２を通して第１の画素列１０Ａから第１の画像が提供される。このとき、第２の画素列１０Ｂの第２の画像は、遮光板４０の遮光部４１により遮られるため、第１の観察領域Ａには提供されない。
【０００５】
一方、表示パネル１０の真正面の位置Ｃから右方向に離れた第２の観察領域Ｂには、遮光板４０の開口部４２を通して第２の画素列１０Ｂから第２の画像が提供される。このとき、第１の画素列１０Ａの第１の画像は、遮光板４０の遮光部４１により遮られるため、第２の観察領域Ｂには提供されない。こうして、第１の観察領域Ａに第１の画像を提供し、第２の観察領域Ｂに第２の画像を提供する２画面表示が行われる。
【０００６】
なお、本願に関連する技術文献としては、以下の特許文献が挙げられる。
【特許文献１】特開２００５−２５８０１６号公報
【発明の開示】
【発明が解決しようとする課題】
【０００７】
しかしながら、上述した表示装置による２画面表示では、表示パネル１０を、その真正面の位置Ｃから観察した場合、第１及び第２の画像が重畳してなる２重像が発生していた。即ち、第１の画像と第２の画像との識別ができなくなり、２画面表示の表示品位が低下していた。
【課題を解決するための手段】
【０００８】
そこで本発明は、第１の観察領域に第１の画像を提供し、第２の観察領域に第２の画像を提供する表示装置において、表示パネルの真正面の位置における２重像を抑止するものである。
【０００９】
本発明の表示装置は、第１の観察領域に第１の画像を提供し、第２の観察領域に第２の画像を提供する表示装置であって、第１の画像を表示する第１の画素列と第２の画像を表示する第２の画素列とが交互に配置されてなる表示パネルと、表示パネルの上方に配置され、第１の画素列及び前記第２の画素列に平行に交互に延びる遮光部及び透過部を有し、遮光部及び透過部の位置を移動できる移動バリアと、を備えることを特徴とする。また、本発明の表示装置は、上記構成に加えて、表示パネルの向きを検出する検出器を備え、検出器の検出結果に応じて、移動バリアの遮光部及び透過部の位置を移動させることを特徴とする。
【発明の効果】
【００１０】
本発明の表示装置によれば、第１の観察領域に第１の画像を提供し、第２の観察領域に第２の画像を提供する表示装置において、表示パネルの真正面の位置における第１及び第２の画像からなる２重像を抑止し、従来例に比して２画面表示の表示品位を向上させることができる。さらに、表示パネルの向きに応じて、第１の観察領域及び第２の観察領域の位置を移動することができる。
【発明を実施するための最良の形態】
【００１１】
次に、本発明の実施形態に係る表示装置について図面を参照して説明する。図１は、本発明の実施形態に係る表示装置を説明する平面図である。図１（Ａ）及び図１（Ｂ）には、それぞれ、後述する表示パネル１０、それに重畳する移動バリア３０が別個に示されている。また、図２は、図１のＸ−Ｘ線に沿った断面図を示している。即ち、図２では、後述する第１の画素列１０Ａ及び第２の画素列１０Ｂと直交する方向の断面を示している。なお、図２は、後述する移動バリア３０の透過部の位置が第１の状態となる場合を示している。また、図１及び図２では、図８に示したものと同一の構成要素については同一の符号を付して説明を行う。
【００１２】
図１及び図２に示すように、表示装置１には、第１の画像を表示する第１の画素列１０Ａと第２の画像を表示する第２の画素列１０Ｂとが交互に配置されてなる表示パネル１０が配置されている。第１及び第２の画素列１０Ａ，１０Ｂの各画素間には、いわゆるブラックマトリクス１１が配置されている。ここで、第１及び第２の画素列１０Ａ，１０Ｂは、例えば液晶層を備えた画素からなる。もしくは、第１及び第２の画素列１０Ａ，１０Ｂは、液晶層を備えた画素に限定されず、その他の画素、例えば有機エレクトロルミネセンス素子を発光素子として備えた画素からなるものであってもよい。
【００１３】
また、表示パネル１０の真正面の位置Ｃ１の左側に、第１の画像が提供される第１の観察領域Ａが存在し、表示パネル１０の真正面の位置Ｃ１の右側に、第２の画像が提供される第２の観察領域Ｂが存在している。表示パネル１０の真正面の位置Ｃ１とは、第１及び第２の画素列１０Ａ，１０Ｂと直交する方向で表示パネル１０を略２分割する線上の鉛直線上の位置もしくはその近傍を意味する。
【００１４】
また、表示パネル１０と、第１の観察領域Ａ及び第２の観察領域Ｂとの間において、表示パネル１０上方に、不図示のガラス基板等の透明基板を介して移動バリア３０が配置されている。移動バリア３０は、後述するように、第１の画素列１０Ａ及び第２の画素列１０Ｂに平行に交互に延びる遮光部及び透過部を有し、遮光部及び透過部の位置を移動できるものである。この移動バリア３０の透過部の移動により、第１の観察領域Ａ及び第２の観察領域Ｂを移動することができる。
【００１５】
次に、移動バリア３０の構成について、図面を参照して説明する。図３は、本発明の実施形態に係る表示装置を説明する断面図であり、図２の移動バリア３０の拡大図である。図３（Ａ）は、移動バリア３０透過部の位置が第１の状態である場合を示し、図３（Ｂ）は、移動バリア３０の透過部の位置が第２の状態である場合を示している。
【００１６】
図２及び図３（Ａ）に示すように、移動バリア３０は、第１の偏光板３１Ａを備えた第１の透明基板３２Ａ、第２の偏光板３１Ｂを備えた第２の透明基板３２Ｂ、及びそれらの透明基板に挟まれる液晶層ＬＣからなる液晶バリアである。第１の透明基板３２Ａ及び第２の透明基板３２Ｂは例えばガラス基板からなる。また、移動バリア３０は、液晶層ＬＣに電界が生じない時に光が透過するノーマリーホワイト型として構成されるものとする。
【００１７】
さらに、第１の透明基板３２Ａ上には、第１の画素列１０Ａ及び第２の画素列１０Ｂに平行に延びる複数の第１の透明電極３３が等間隔で配置されている。また、第１の透明基板３２Ａ上には、各第１の透明電極３３の一方の辺に沿って、第１の透明電極３３と絶縁された第２の透明電極３４が配置され、他方の辺に沿って、第１の透明電極３３と絶縁された第３の透明電極３５が配置されている。
【００１８】
また、第２の透明基板３２Ｂ上には、共通電位が供給される第４の透明電極３６が配置されている。第１乃至第４の透明電極３３，３４，３５，３６は、ＩＴＯ（Indium Tin Oxide）等の透明金属からなる。
【００１９】
さらに、この移動バリア３０には、第１の透明電極３３上が非透過状態となると共に、第２の透明電極３４もしくは第３の透明電極３５のいずれか一方の透明電極上が非透過状態となるように電圧印加を制御する制御回路ＣＮＴが接続されている。
【００２０】
図３（Ａ）に示すように、移動バリア３０が第１の状態となる場合、制御回路ＣＮＴにより、第１の透明電極３３上及び第２の透明電極３４上が非透過状態となるように制御される。即ち、制御回路ＣＮＴから第１の透明電極３３及び第２の透明電極３４に電圧が印加され、また、第４の透明電極３６には共通電位が供給される。これにより、第１の透明電極３３上及び第２の透明電極３４上の液晶層ＬＣに電界が生じ、その電界に沿って液晶層ＬＣの液晶分子の配向が変化して、その光学的特性が変化する。このとき、移動バリア３０において、第１の透明電極３３上及び第２の透明電極３４上は、第１の状態における遮光部となり、その遮光部以外の領域が、第１の状態における透過部３７Ａとなる。
【００２１】
他方、図３（Ｂ）に示すように、移動バリア３０が第２の状態となる場合、制御回路ＣＮＴにより、第１の透明電極３３上及び第３の透明電極３５上が非透過状態となるように制御される。即ち、制御回路ＣＮＴから第１の透明電極３３及び第３の透明電極３５に電圧が印加され、第４の透明電極３６には共通電位が供給される。これにより、第１の透明電極３３上及び第３の透明電極３５上の液晶層ＬＣに電界が生じる。そして、その電界に沿って液晶層ＬＣの液晶分子の配向が変化して、その光学的特性が変化する。このとき、移動バリア３０において、第１の透明電極３３上及び第３の透明電極３５上は、第２の状態における遮光部となり、その遮光部以外の領域が、第２の状態における透過部３７Ｂとなる。
【００２２】
次に、表示パネル１０と移動バリア３０の構成要素の配置関係について説明する。ここで、図２において、第１の観察領域Ａ及び第２の観察領域Ｂの各幅をＦとする。また、第１の状態及び第２の状態における第１の観察領域Ａ及び第２の観察領域Ｂの移動距離をＦ／２に設定する。また、第１の観察領域Ａ及び第２の観察領域Ｂと、移動バリア３０との間の距離をＤとする。また、移動バリア３０と表示パネル１０との間の距離をＧとする。また、表示パネル１０の第１の画素列１０Ａ及び第２の画素列１０Ｂの各ピッチをＰとする。
【００２３】
また、図３の移動バリア３０において、第２の透明電極３４及び第３の透明電極３５の各幅をＳとする。この幅Ｓは、正確には、第１の透明電極３３の端から、それに隣接する第２の透明電極３４もしくは第３の透明電極３５の端までの距離により定義される。この幅Ｓは、移動バリア３０の遮光部及び透過部の移動距離である。また、第１の透明電極３３、第２の透明電極３４、及び第３の透明電極３５を１つの組としたとき、その組のピッチをＲとする。このとき、表示パネル１０及び移動バリア３０は、式１を満たすように形成されている。
Ｓ  ≦  Ｒ／４  ・・・（１）
【００２４】
次に、式１が得られる理由について図面を参照して説明する。図４（Ａ）及び図４（Ｂ）は、図２の表示パネル１０と移動バリア３０との配置関係を説明する概念図である。
【００２５】
図４（Ａ）に示すように、表示パネル１０の第１の画素列１０Ａ及び第２の画素列１０Ｂの２画素列分のピッチ２Ｐを底辺とし、その底辺に垂直に対向する頂点を第１の観察領域Ａもしくは第２の観察領域Ｂにおける位置Ｈとすると、三角形ＨＪＫ（以降、△ＨＪＫと略称する）が得られる。また、第１の透明電極３３、第２の透明電極３４、及び第３の透明電極３５を１つの組としたときのピッチＲを底辺とし、その底辺に垂直に対向する頂点を位置Ｈとすると、三角形ＨＩＬ（以降、△ＨＩＬと略称する）が得られる。
【００２６】
移動バリア３０の第１の状態における透過部３７Ａもしくは第２の状態における透過部３７Ｂを通して、第１の画像もしくは第２の画像が観察されるためには、△ＨＪＫ及び△ＨＩＬは相似となる必要がある。そこで、△ＨＪＫ及び△ＨＩＬが相似である場合を考えると、Ｒに対する２Ｐの比は、辺ＨＩに対する辺ＨＪの比と等しい。また、辺ＨＩと距離Ｄは等しく、辺ＨＪと距離Ｄ及び距離Ｇの総和は等しい。即ち、△ＨＪＫ及び△ＨＩＬが相似であれば式２が得られる。
Ｒ：２Ｐ  ＝  Ｄ：（Ｄ＋Ｇ）  ・・・（２）
【００２７】
また、図４（Ｂ）に示すように、第１の観察領域Ａ及び第２の観察領域Ｂの移動距離Ｆ／２を底辺とし、その底辺に垂直に対向する頂点を表示パネル１０の第１の画素列１０Ａもしくは第２画素列１０Ｂにおける位置をＪとすると、三角形ＪＨＯ（以降、△ＪＨＯと略称する）が得られる。また、幅Ｓを底辺とし、その底辺に垂直に対向する頂点を位置Ｊとすると、三角形ＪＭＮ（以降、△ＪＭＮと略称する）が得られる。
【００２８】
第１の観察領域Ａ及び第２の観察領域Ｂの移動距離Ｆ／２の範囲に対して、第１の画像もしくは第２の画像が提供されるためには、幅Ｓは、△ＪＨＯ及び△ＪＭＮが相似となるような値となる必要がある。
【００２９】
そこで、△ＪＨＯ及び△ＪＭＮが相似である場合を考えると、幅Ｓに対する移動距離Ｆ／２の比は辺ＪＭに対する辺ＪＨの比と等しい。また、辺ＪＭと距離Ｇは等しく、辺ＪＨと距離Ｄ及び距離Ｇの総和は等しい。即ち、△ＪＨＯ及び△ＪＭＮが相似であれば式３が得られる。
Ｓ：Ｆ／２  ＝  Ｇ：（Ｄ＋Ｇ）  ・・・（３）
【００３０】
また、第１の画像及び第２の画像が、それぞれ第１の観察領域Ａ及び第２の観察領域Ｂに対応して提供されるための条件として、表示パネル１０は式４を満たすように形成されている。
Ｐ：Ｖ  ＝  Ｇ：Ｄ  ・・・（４）
【００３１】
ここで、式２、式３、及び式４を、Ｓについて解くと、式５が得られる。
Ｓ  ＝  Ｒ／４  ・・・（５）
【００３２】
ところで、上述した説明では、第１の観察領域Ａ及び第２の観察領域Ｂの移動距離をＦ／２に設定していた。しかし、表示パネル１０の真正面の位置Ｃにおける２重像を抑止するように第１の観察領域Ａ及び第２の観察領域Ｂを移動させる場合、その移動距離をＦ／２より大きくする必要がないとされている。即ち、移動距離はＦ／２以下である。これを式５に反映させることにより、式１が得られる。
【００３３】
次に、上記構成により２画面表示が実現される仕組みについて図２及び図５を参照して説明する。図５は、図２と同様に図１のＸ−Ｘ線に沿った断面図であるが、移動バリア３０の透過部の位置が第２の状態となる場合を示している。
【００３４】
最初に、第１の状態について説明する。図２に示すように、第１の観察領域Ａには、移動バリア３０の第１の状態における透過部３７Ａを通して、第１の画素列１０Ａから第１の画像が提供される。このとき、第２の画素列１０Ｂの第２の画像は、移動バリア３０の遮光部、即ち第１の透明電極３３上及び第２の透明電極３４上において遮られるため、第１の観察領域Ａには提供されない。
【００３５】
一方、第２の観察領域Ｂには、移動バリア３０の第１の状態における透過部３７Ａを通して、第２の画素列１０Ｂから第２の画像が提供される。このとき、第１の画素列１０Ａの第１の画像は、移動バリア３０の上記遮光部により遮られるため、第２の観察領域Ｂには提供されない。こうして、第１の観察領域Ａに第１の画像を提供し、第２の観察領域Ｂに第２の画像を提供する２画面表示が行われる。ただし、表示パネル１０の真正面の位置Ｃ１では、第１の画像及び第２の画像からなる２重像が観察される。
【００３６】
次に、第２の状態について説明する。図５に示すように、移動バリア３０の第２の状態における透過部３７Ｂは、第１の状態の透過部３７Ａよりも右側に移動している。同様に、その遮光部も、第１の透明電極３３上及び第３の透明電極３５上に存在することになり、第１の状態の遮光部よりも右側に移動している。
【００３７】
そのため、透過部３７Ｂを通る第１の画像及び第２の画像は、第１の状態に比して右側に提供されるため、第１の観察領域Ａ及び第２の観察領域Ｂは、それぞれ、Ｆ／２の距離だけ右側に移動する。即ち、表示パネル１０の真正面の位置Ｃ１では、第１の画像が提供される第１の観察領域Ａとなり、第１の状態でみられたような２重像は観察されない。言い換えれば、第１の状態及び第２の状態を切り替えることにより、第１の観察領域Ａ及び第２の観察領域Ｂを移動させることができる。
【００３８】
さらにいえば、本実施形態では、必要に応じて、上記第１の状態及び第２の状態以外の状態として、移動バリア３０は、第１の透明電極３３上、第２の透明電極３４上、及び第３の透明電極３５上が透過状態となるように、制御回路ＣＮＴにより制御されてもよい。この場合、移動バリア３０全体は単なる透明板として機能する。このとき、第１の画像及び第２の画像を同一の画像とすることにより、第１の観察領域Ａ及び第２の観察領域Ｂに対して、共通の１つの画像を提供する１画面表示を行うことができる。その際、移動バリア３０には遮光部が存在しない。そのため、２画面表示の状態で第１の画像及び第２の画像を同一の画像とすることにより１画面表示を実現する場合に比して、輝度を低下させずに１画面表示を実現することができる。
【００３９】
ところで、上述した２画面表示における第１の状態と第２の状態の切換えは任意に行うことができるが、次に示すように表示パネル１０の向きに応じて自動的に切り替えられてもよい。図６は、本発明の実施形態に係る表示装置を説明する上面図であり、表示装置１と第１及び第２の観察領域の配置関係を、それらの上方からみている。図６（Ａ）は第１の状態に対応しており、図６（Ｂ）は第２の状態に対応している。
【００４０】
図６（Ａ）に示すように、表示装置１には、その左右方向の向きを検出する検出器ＤＴＣが接続されている。第１の状態では、表示パネル１０の真正面の位置Ｃ１には、第１の観察者ＯＢ１及び第２の観察者ＯＢ２のいずれも存在しない。第１の観察者ＯＢ１は、第１の観察領域Ａに存在し、第１の画像を観察している。また、第２の観察者ＯＢ２は、第２の観察領域Ｂに存在し、第２の画像を観察している。
【００４１】
そして、図６（Ｂ）に示すように、表示パネル１０の真正面の位置Ｃ１上に第１の観察者ＯＢ１が存在するように、表示パネル１０の向きが変えられると、第１の観察者ＯＢ１は、第１の画像及び第２の画像からなる２重像を観察することになる。
【００４２】
そこで、第２の状態に切り替えるべく、表示パネル１０の向きの変化分に対応した角θを検出器ＤＴＣが検出する。そして、この検出器ＤＴＣの検出結果に応じて、制御回路ＣＮＴにより、移動バリア３０の第１の状態の透過部３７Ａを、第２の状態の透過部３７Ｂに移動させる。このときの制御回路ＣＮＴは、上述したものと同様に、移動バリア３０において、第１の透明電極３３上、第２の透明電極３４上、第３の透明電極３５上の透過状態を制御する。こうして、第１の観察者ＯＢ１は、表示パネル１０の真正面の位置Ｃ１においても、移動した第１の観察領域Ａに存在することになり、第１の画像を観察することができる。
【００４３】
また、２画面表示と１画面表示との切換えについても、表示パネル１０の向きに応じて自動的に切り替えられてもよい。この場合、検出器ＤＴＣの検出結果に応じて、制御回路ＣＮＴにより、移動バリア３０の第１の透明電極３３上、第２の透明電極３４上、及び第３の透明電極３５上の透過状態が制御される。
【００４４】
なお、上記実施形態の表示パネル１０、及び第１乃至第３の透明電極３３，３４，３５は、図１に示した構成に限定されず、少なくとも上記と同等の効果を奏するものであれば、下記のように配置されてもよい。図７は、本発明の実施形態に係る表示装置を説明する平面図である。図７（Ａ）及び図７（Ｂ）は、それぞれ、表示パネル１０、それに重畳する移動バリア３０Ｇの第１乃至第３の透明電極３３，３４，３５の組が別個に示されている。
【００４５】
図７（Ａ）に示すように、第１の画素列１０Ａ及び第２の画素列１０Ｂは、それぞれ、さらに複数の行単位に区分され、各行で交互に配置されてもよい。さらに、このときの第１の画素列１０Ａ及び第２の画素列１０Ｂに対応して、図７（Ｂ）に示すように、移動バリア３０Ｇの第１乃至第３の透明電極３３，３４，３５の組と、それらの透明電極の非形成領域とは、それぞれ、行単位に区分され、各行で交互に配置されてもよい。これにより、観察される第１及び第２の画像が列単位のみならず行単位にも交互に存在するため、２画面表示の際の視認性をさらに向上させることができる。
【００４６】
また、上記実施形態では、上記１画面表示を行う必要が無い場合、移動バリア３０，３０Ｇの第１の透明電極３３上は透過状態となる必要はない。この場合、第１の透明電極３３の替わりに、その形成領域において、非透明な金属もしくは非金属材料からなり常に光を遮光する固定遮光層が形成されてもよい。
【００４７】
また、上記実施形態では、移動バリア３０，３０Ｇは、第２の状態における透過部３７Ｂを、第１の状態における透過部３７Ａよりも右側に移動する構成を有するものとしたが、本発明はこれに限定されない。即ち、移動バリア３０は、透過部３７Ｂを第１の状態における透過部３７Ａよりも左側に移動させる構成を有したものであってもよい。
【００４８】
また、上記実施形態では、移動バリア３０，３０Ｇは、ノーマリーホワイト型として構成されるとしたが、本発明はこれに限定されない。即ち、本発明は、移動バリア３０，３０Ｇがノーマリーブラック型として構成される場合についても適用される。
【００４９】
また、上記実施形態では、移動バリア３０，３０Ｇは液晶バリアであるとしたが本発明はこれに限定されない。即ち、本発明は、遮光部及び透過部が上記効果を奏するように移動するものであれば、液晶バリア以外の移動バリアを備えたものであってもよい。
【図面の簡単な説明】
【００５０】
【図１】本発明の実施形態に係る表示装置を説明する平面図である。
【図２】本発明の実施形態に係る表示装置を説明する断面図である。
【図３】本発明の実施形態に係る表示装置を説明する断面図である。
【図４】図２の表示パネルと移動バリアとの配置関係を説明する概念図である。
【図５】本発明の実施形態に係る表示装置を説明する断面図である。
【図６】本発明の実施形態に係る表示装置を説明する上面図である。
【図７】本発明の実施形態に係る表示装置を説明する平面図である。
【図８】従来例に係る表示装置を説明する断面図である。
【符号の説明】
【００５１】
１０  表示パネル            １０Ａ  第１の画素列      １０Ｂ  第２の画素列
１１  ブラックマトリクス    ３０  移動バリア          ３１Ａ  第１の偏光板
３１Ｂ  第２の偏光板        ３２Ａ  第１の透明基板    ３２Ｂ  第２の透明基板
３３  第１の透明電極        ３４  第２の透明電極      ３５  第３の透明電極
３６  第４の透明電極        ３７Ａ  第１の状態における透過部
３７Ｂ  第２の状態における透過部
４０  遮光板                ４１  遮光部              ４２  開口部
Ａ  第１の観察領域          Ｂ  第２の観察領域
Ｃ，Ｃ１  表示パネル１０の真正面の位置
ＣＮＴ  制御回路            ＤＴＣ  検出器
【図１】
2007264083.tif 000003
【図２】
2007264083.tif 000004
【図３】
2007264083.tif 000005
【図４】
2007264083.tif 000006
【図５】
2007264083.tif 000007
【図６】
2007264083.tif 000008
【図７】
2007264083.tif 000009
【図８】
2007264083.tif 000010